(57)【要約】【課題】従来のクロスフローファンにおいて、ブレードの枚数（Ｚ）と使用回転数（Ｎ）との積で表せる特異音（Ｎ・Ｚ音）の発生を軽減させるため、ファンのブレードのピッチ（角度）をランダムにして、ランダム性が顕著になるとクロスフローファンの特有の二次元流れの特徴を崩すことになり、送風性能低下を招き、流体振動による騒音が増加の傾向にある。例えば、回転音（回転数（Ｎ）に依存する音）の高調波などが顕著に表れ、ゴトゴト音と言われるような異常音が発生する原因になる。【解決手段】クロスフローファンにおいて、取付角度及び取付ピッチ一定で、形状が異なる２種以上のブレードをランダムに配列させることで、Ｎ・Ｚ音の発生を軽減しつつ、かつ送風性能低下、流体振動による騒音等の発生をも抑制する。【選択図】図１
2006170043.tif 000002
【特許請求の範囲】
【請求項１】
仕切板の周縁に、一定の取付角度及び取付ピッチで、形状が異なる２種以上の複数のブレードをランダムに配列させたクロスフローファン。
【請求項２】
仕切板の周縁に、一定の取付角度及び取付ピッチで、形状が異なる２種以上の複数のブレードを規則的に配列させたクロスフローファン。
【請求項３】
形状が異なる２種以上の複数のブレードを規則的に交互に配列させた請求項２に記載のクロスフローファン。
【請求項４】
ブレード形状の湾曲面側（凸形状部分）のみを異形状であることとした請求項１〜３のいずれか１項に記載のクロスフローファン。
【請求項５】
空気調和機の室内ユニットの送風回路を構成する、請求項１〜４のいずれか１項に記載のクロスフローファン。
【発明の詳細な説明】
【技術分野】
【０００１】
本発明は、たとえば空気調和機等に用いられるクロスフローファンのブレード形状に関するものである。
【背景技術】
【０００２】
従来のクロスフローファンは、ブレードのピッチをランダムにして、ブレードの枚数（Ｚ）と使用回転数（Ｎ）の積で表せる特異音（Ｎ・Ｚ音）の発生を軽減させることができる（例えば、特許文献１参照）。
【０００３】
また、クロスフローファンの各ブレードが、その長手方向に沿った一側辺に階段状の複数の段差が形成され、この段差部分がブレードの外周側に面するように仕切板に取り付けられたものもある（例えば、特許文献２参照）。
【０００４】
図８は、特許文献２に記載された従来のクロスフローファンを示すものである。図８（a）（ｂ）に示すように一定の取付角度および取付ピッチで、仕切板２の周辺部に多数のブレード３が取り付けられて、円筒状の翼列４が形成されたものである。ブレード３は、単一円弧を有する長状のもので構成されている。また、その長さ方向には、図９に示すように、複数の段差αを有する階段状の段部３ａ、３ｂ、３ｃが形成されている。そして、この段部３ａ、３ｂ、３ｃが外周側に位置するようにしてブレード３の幅部分が、所定の取付角度および取付ピッチで仕切り板２に取り付けられ、円筒状の翼列４が形成される。この構成により、ブレードの枚数（Ｚ）と使用回転数（Ｎ）との積で表せる特異音（Ｎ・Ｚ音）の発生を軽減させることができる。
【特許文献１】特開２００３−３２８９８０号公報
【特許文献２】特許第２５５０１９０号公報
【発明の開示】
【発明が解決しようとする課題】
【０００５】
第１の従来例では従来のクロスフローファンのブレードのピッチをランダムにして、ブレードの枚数（Ｚ）と使用回転数（Ｎ）との積で表せる特異音（Ｎ・Ｚ音）の発生を軽減させることができる。
【０００６】
しかし、ランダム性が顕著になるとクロスフローファンの特有の二次元流れの特徴を崩すことになり、送風性能低下を招いてしまう。また、流体振動による騒音が増加の傾向にある。例えば、回転音（回転数（Ｎ）に依存する音）の高調波などが顕著に表れ、ゴトゴト音と言われるような異常音が発生する原因になるという課題を有していた。
【０００７】
また、第２の従来例ではブレードの外側に段差を設けることにより、気流のランダム性により特異音（Ｎ・Ｚ音）の発生を軽減させることができるが、同時にクロスフローファン特有の２次元流れの特徴が崩れることになる。すなわち、軸方向の乱流成分が助長され、送風性能が劣化する原因になるという課題を有していた。
【０００８】
本発明は、前記従来の課題を解決するもので、ブレードの枚数（Ｚ）と使用回転数（Ｎ）との積で表せる特異音（Ｎ・Ｚ音）の発生を軽減しつつ、かつ送風性能低下、流体振動による騒音等の発生をも抑制するクロスフローファンを提供することを目的とする。
【課題を解決するための手段】
【０００９】
前記従来の課題を解決するために、本発明のクロスフローファンは、取付角度及び取付
ピッチは一定で、形状が異なる２種以上のブレードをランダムに配列させたものである。
【００１０】
これによって、ブレードの取付角度及び取付ピッチは一定にすることでクロスフローファン特有の二次元流れの特徴を崩さず送風性能低下を防止し、流体振動による異常音（ゴトゴト音）の発生を抑えることができ、また、２種以上のブレードをランダムに配列することで、ブレードのピッチをランダムにすることなくランダム特性を表すことができ、各々のブレード形状の湾局面側（凸部形状）からの吹き出し部及び吸い込み部の風速分布が異なり、ＮＺ音、またその高調波（２ＮＺ音）を軽減することができる。
【００１１】
また、本発明のクロスフローファンを空気調和機に適用したもので、これによって、送風性能を低下することなく、不快な特異音や騒音を発生しない空気調和機を提供することができる。
【発明の効果】
【００１２】
本発明のクロスフローファンは、ブレードの枚数（Ｚ）と使用回転数（Ｎ）との積で表せる特異音（Ｎ・Ｚ音）の発生を軽減しつつ、かつ送風性能低下、流体振動による騒音等の発生をも抑制することができる。
【発明を実施するための最良の形態】
【００１３】
第１の発明は、クロスフローファンの取付角度及び取付ピッチは一定であって、形状が異なる２種以上のブレードをランダムに配列させたものである。
【００１４】
上記構成によれば、ブレードのピッチを等ピッチにすることでクロスフローファンの特有の二次元流れの特徴を崩さないので送風性能低下を防止し、流体振動による異常音（ゴトゴト音）の発生を抑え、また、２種以上のブレードを用い、ランダムに配列させることでブレードのピッチをランダムにすることなくランダム特性を表すことができ、各々のブレード形状の湾局面側（凸部形状）からの吹き出し部及び吸い込み部の風速分布が異なり、ＮＺ音、またその高調波（２ＮＺ音）を軽減することができる。
【００１５】
第２の発明は、特に、第１の発明のクロスフローファンを形状が異なる２種以上のブレードを規則的に配列させたものである。
【００１６】
上記構成によれば、ブレードのピッチを等ピッチにすることでクロスフローファンの特有の二次元流れの特徴を崩さないので送風性能低下を防止し、流体振動による異常音（ゴトゴト音）の発生を抑え、また、２種以上のブレードを規則的に配列させることでブレードのピッチをランダムにすることなく、この配置により連続するピッチにおいて確実に風速分布の異なる流れのパターンを形成することができ、ＮＺ音、２ＮＺ音を軽減することができる。
【００１７】
第３の発明は、特に、第２の発明のクロスフローファンを形状が異なる２種以上のブレードを規則的に交互に配列させたものである。
【００１８】
上記構成によれば、ブレードのピッチを等ピッチにすることでクロスフローファンの特有の二次元流れの特徴を崩さないので送風性能低下を防止し、流体振動による異常音（ゴトゴト音）の発生を抑え、また、２種以上のブレードをちどり（交互）に配列させることでブレードのピッチをランダムにすることなく、この配置により連続するピッチにおいて確実に風速分布の異なる流れのパターンを形成することができ、ＮＺ音、２ＮＺ音を軽減することができる。
【００１９】
第４の発明は、特に、第１〜３のいずれか１つの発明のクロスフローファンを、ブレー
ド形状の湾曲面側（凸形状部分）のみを異形状であることとしたものである。
【００２０】
上記構成によれば、各々のブレード形状の凸部形状は異なる為、凸部形状から吹き出し部及び吸い込み部の風速分布が異なり、ＮＺ音、２ＮＺ音を軽減することができる。また、凹部の形状が同じであり、ブレード間での圧力変動を抑えることが出来るので、高負荷時での「バサバサ」という断続的な異常音（バサツキ音）の発生を抑えることができる。
【００２１】
第５の発明は、特に、第１〜４のいずれか１つの発明のクロスフローファンを、空気調和機に適用したものである。
【００２２】
上記構成によれば、送風性能低下を防止しつつ、ゴトゴト音、バサツキ音といった異常音の発生を抑え、ＮＺ音、２ＮＺ音を軽減した低騒音の空気調和機を提供することができる。
【００２３】
以下、本発明の実施の形態について、図面を参照しながら説明する。尚、この実施の形態によって本発明が限定されるものではない。
【００２４】
（実施の形態１）
図１はクロスフローファン１の全体構成の概略を示している。同図において、クロスフローファン１は、一定の取付角度及び取付ピッチで、仕切り板２の周辺部に多数のブレード３が取り付けられて、円筒状の翼列４が形成されたものである。図２が各ブレード３１ａ、３２ａ、３３ａの拡大断面図である。図に示すように、ブレード形状については３種とも異なる。このようなブレード３を、ランダムな順に、等ピッチで配列する。等ピッチにすれば、クロスフローファンの特有の二次元流れの特徴を崩さないので送風性能低下を防止し、流体振動による異常音（ゴトゴト音）の発生を抑えることができる。また、各々ブレードの凸部形状から吹き出し部及び吸い込み部の風速分布が異なり、ＮＺ音、２ＮＺ音を軽減することができる。よって、耳障りな異常音を抑制するとともに、低騒音化を図ることができる。
【００２５】
（実施の形態２）
図３はクロスフローファン１の断面図である。図２に示した、ブレード３１ａ、３２ａを交互に規則的に配列し、等ピッチで配列させた。等ピッチにすれば、クロスフローファンの特有の二次元流れの特徴を崩さないので送風性能低下を防止し、流体振動による異常音（ゴトゴト音）の発生を抑えることができる。また連続するピッチにおいて確実に風速分布の異なる流れのパターンを形成することができるため、確実にＮＺ音、２ＮＺ音が軽減される。よって、耳障りな異常音を抑制するとともに、低騒音化を図ることができる。
【００２６】
（実施の形態３）
図４、図５はクロスフローファン１の全体構成の概略を示している。同図において、クロスフローファン１は、一定の取り付け角度及び取り付けピッチで、仕切り板２の周辺部に多数のブレード３が取り付けられて、円筒状の翼列４が形成されたものである。図６が各ブレード３１ａ、３１ｂ、３１ｃの拡大断面図である。図に示すように、凸部の形状については３種とも異なるが、凹部の形状については３種とも同じである。このようなブレード３を、実施の形態１から２に記載の方法で配列する。各々の凸部形状からの吹き出し部及び吸い込み部の風速分布が異なり、ＮＺ音、２ＮＺ音が軽減される。また、凹部の形状が同じであり、ブレード間での圧力変動を抑えることが出来るので、高負荷時での「バサバサ」という断続的な異常音（バサツキ音）の発生を抑えることができる。よって、耳障りな異常音を抑制するとともに、低騒音化を図ることができる。
【００２７】
（実施の形態４）
図５は空気調和機の全体構成の概略を示している。同図において、筐体６１に、前面の吸込み口６２ａおよび上面の吸込み口６２ｂなど一箇所以上の吸込み口と、下面の吹出し口６３など一箇所以上の吹出し口とが設けられ、この筐体６１内にフィン付き熱交換器６４と、クロスフローファン６５とが収納されている。
【００２８】
このクロスフローファン６５として、実施の形態１から３のいずれかに記載のクロスフローファン１を搭載する。上記構成によれば、送風性能低下を防止しつつ、ゴトゴト音、バサツキ音といった異常音の発生を抑制し、ＮＺ音、２ＮＺ音を軽減した低騒音の空気調和機を提供することができる。
【産業上の利用可能性】
【００２９】
以上のように、本発明にかかるクロスフローファンは、騒音（異常音）の低減及び送風性能の向上が可能となり、空気調和機等、搭載されている機器において同様の効果を創出して適用できる。
【図面の簡単な説明】
【００３０】
【図１】本発明の実施の形態１におけるクロスフローファンの概略構成図
【図２】本発明の実施の形態１におけるブレードの断面図
【図３】本発明の実施の形態２におけるクロスフローファンの概略構成図
【図４】本発明の実施の形態３におけるクロスフローファンの断面図
【図５】本発明の実施の形態３におけるクロスフローファンの断面図
【図６】本発明の実施の形態３におけるブレードの断面図
【図７】本発明の実施の形態４における空気調和機の概略構成図
【図８】従来のクロスフローファンの概略構成図
【図９】従来のクロスフローファンのブレードの断面図
【符号の説明】
【００３１】
１  クロスフローファン
２  仕切り板
３  ブレード
４  翼列
６１  筐体
６２  吸込み口
６３  吹出し口
６４  フィン付き熱交換器
６５  クロスフローファン
【図１】
2006170043.tif 000003
【図２】
2006170043.tif 000004
【図３】
2006170043.tif 000005
【図４】
2006170043.tif 000006
【図５】
2006170043.tif 000007
【図６】
2006170043.tif 000008
【図７】
2006170043.tif 000009
【図８】
2006170043.tif 000010
【図９】
2006170043.tif 000011